(57)【要約】【課題】複数纏めた集積状態で運搬するときに、表示部を有する面部と隣り合う他の包装箱とが擦れ合わないようにできる包装箱を提供する。【解決手段】包装箱は、左側面部４に表示部１を有する。表示部１を有する左側面部４の外周縁の各辺のうち、左右の対向する２辺および上辺において、該辺に隣接する他の前面部２と後面部３および上面部７の縁から突出する第１の凸片２１,３１,７１を設ける。表示部１を有する左側面部４において第１の凸片２１,３１,７１に隣接する穴がないように構成される。【選択図】図１
2020026282.tif 000002
【特許請求の範囲】
【請求項１】
少なくとも１つの面部に表示部を有する包装箱であって、
上記表示部を有する上記面部の外周縁の各辺のうちの少なくとも対向する２辺において、該辺に隣接する他の面部の縁から突出するように設けられた凸片を備え、
上記対向する２辺の側の上記凸片が互いに対向しており、
上記表示部を有する上記面部において上記凸片に隣接する穴がないように構成されていることを特徴とする包装箱。
【請求項２】
上記凸片は、上記表示部に対向する領域の一部または全部に設けられていることを特徴とする請求項１に記載の包装箱。
【請求項３】
上記表示部の表示内容の一部または全部がレーザー光により捺印されていることを特徴とする請求項１または２に記載の包装箱。
【請求項４】
上記表示部の表示内容は、可変情報を含むことを特徴とする請求項１から３までのいずれか一項に記載の包装箱。
【請求項５】
上記表示部を有する上記面部の外周縁の各辺に設けられた上記凸片は、夫々の辺において複数に分割されていることを特徴とする請求項１から４までのいずれか一項に記載の包装箱。
【請求項６】
上記他の面部の縁から突出する上記凸片の少なくとも１つと該他の面部との間に、外側から厚さ方向内側に切り込んだハーフカットが設けられていることを特徴とする請求項１から５までのいずれか一項に記載の包装箱。
【請求項７】
上記表示部を有する上記面部に平行な対面を有する面部の外周縁の各辺のうちの少なくとも対向する２辺において、該辺に隣接する他の面部の縁から突出する第２の凸片が設けられていることを特徴とする請求項１から６までのいずれか一項に記載の包装箱。
【請求項８】
上記表示部を有する上記面部は、上記表示部を含む所定の領域が窪んだ凹部を有することを特徴とする請求項１から７までのいずれか一項に記載の包装箱。
【発明の詳細な説明】
【技術分野】
【０００１】
この発明は、食品・医薬品・化粧品等が収容される包装箱に関する。
【背景技術】
【０００２】
従来、包装箱としては、薬品の容器等を包装するため、箱の上面から前面にかけて設けられた蓋部を箱の前面部に接着することで、箱内に容器等を封入したものがある(特許文献１参照)。この包装箱では、蓋部に形成されたミシン目に沿って蓋部の一部を切り離すことにより開封する。
【先行技術文献】
【特許文献】
【０００３】
【特許文献１】特開２００７−２５４０２６号公報
【発明の概要】
【発明が解決しようとする課題】
【０００４】
このような構成の包装箱において、白地塗料と黒地塗料とが外周面の一面部に塗り重ねられて形成された表示部に、製造年月日、使用期限、製造ロット、製造番号などの可変情報をレーザー印刷によって捺印するものがある。上記複数の包装箱をカートンに収納して運搬するとき、包装箱の表示部を有する面部が隣り合う他の包装箱の面部と擦れ合って、一方の包装箱のレーザー印刷された表示部の表示内容が不鮮明になったり、表示部の黒地塗料が剥がれて他方の包装箱の面部を汚したりするという問題がある。
【０００５】
そこで、この発明の課題は、複数まとめた集積状態で運搬するときに、表示部を有する面部と隣り合う他の包装箱とが擦れ合わないようにできる包装箱を提供することにある。
【課題を解決するための手段】
【０００６】
この発明の一態様に係る包装箱は、
少なくとも１つの面部に表示部を有する包装箱であって、
上記表示部を有する上記面部の外周縁の各辺のうちの少なくとも対向する２辺において、該辺に隣接する他の面部の縁から突出するように設けられた凸片を備え、
上記対向する２辺の側の上記凸片が互いに対向しており、
上記表示部を有する上記面部において上記凸片に隣接する穴がないように構成されていることを特徴とする。
【発明の効果】
【０００７】
以上より明らかなように、この発明によれば、表示部を有する面部の外周縁の各辺のうちの少なくとも対向する２辺において、該辺に隣接する他の面部の縁から突出する凸片を設けることによって、包装箱の表示部の表示内容が不鮮明になったり、表示部のインクや塗料が剥がれて隣接する他の包装箱の面部を汚したりするのを防ぐことができる。
【０００８】
また、この発明によれば、上記表示部を有する面部において凸片に隣接する穴がないように構成されていることによって、穴から包装箱内に異物が混入しにくくなるので、特に薬品などの包装箱として好適である。
【図面の簡単な説明】
【０００９】
【図１】この発明の第１実施形態の包装箱の斜視図である。
【図２】第１実施形態の包装箱の側面図である。
【図３】第１実施形態の包装箱の底面図である。
【図４】第１実施形態の包装箱を構成するブランクシートの平面図である。
【図５】この発明の第２実施形態の包装箱の斜視図である。
【図６】第２実施形態の包装箱を構成するブランクシートの平面図である。
【図７】図５のVII−VII線から見た要部の断面図である。
【図８】図５のVII−VII線から見た要部の凸片が変形した状態の断面図である。
【図９】この発明の第３実施形態の包装箱の斜視図である。
【図１０】第３実施形態の包装箱を構成するブランクシートの平面図である。
【図１１】この発明の第４実施形態の包装箱の斜視図である。
【図１２】第４実施形態の包装箱を構成するブランクシートの平面図である。
【発明を実施するための形態】
【００１０】
以下、この発明の包装箱を図示の実施の形態により詳細に説明する。なお、図面において、同一の参照番号は、同一部分または相当部分を表わすものである。また、長さ、幅、厚さ、深さ等の図面上の寸法は、図面の明瞭化と簡略化のために実際の尺度から適宜変更されており、実際の相対寸法を表してはいない。また、以下の説明では、特定の方向を意味する用語（例えば、「上」、「下」、「左」、「右」、「前」、「後」およびそれらを含む他の用語）を使用するが、それらの使用は図面を参照した発明の理解を容易にするためであって、それらの用語の意味によって本発明は限定的に解釈されるべきものでない。
【００１１】
〔第１実施形態〕
図１は、この発明の第１実施形態の包装箱１００の斜視図である。また、図２は包装箱１００の側面図を示し、図３は包装箱１００の底面図を示しており、図２,図３において、図１と同一の構成部には同一参照番号を付している。
【００１２】
この第１実施形態の包装箱１００は、図１〜図３に示すように、前面部２と後面部３と左側面部４と右側面部５と底面部６と上面部７およびカバー８とを備えている。前面部２と後面部３と左側面部４と右側面部５とで筒状周壁を形成している。この筒状周壁の下側開口を底面部６により塞ぎ、筒状周壁の上側開口を上面部７により塞いでいる。
【００１３】
カバー８は、上面部７の一辺に連なる第１カバー部８１と、ジッパー８２と、第２カバー部８３とで構成されている。ジッパー８２は、鉤状の切目が断続する切目線Ｌ１,Ｌ２に挟まれた帯形状をしている。なお、第１カバー部８１のジッパー８２側の中央に、ジッパー８２側に延びる差し込み片８１ａを設けている。
【００１４】
また、左側面部４に可変情報などを表示する表示部１を設けている。表示部１は、予め白地塗料と黒地塗料とが塗り重ねられており、レーザー光により黒地塗料を焼くことにより捺印される。
【００１５】
表示部１を有する左側面部４の外周縁の各辺のうち、左右の対向する２辺および上辺において、該辺に隣接する他の前面部２と後面部３および上面部７の縁から突出する第１の凸片２１,３１,７１を設けている。上記対向する２辺の側の第１の凸片２１,３１が互いに対向している。包装箱１００は、表示部１を有する左側面部４において第１の凸片２１,３１,７１に隣接する穴がないように構成されている。
【００１６】
また、左側面部４に平行な対面を有する右側面部５の外周縁の各辺のうち、左右の対向する２辺および上辺において、該辺に隣接する他の前面部２と後面部３および上面部７の縁から突出する第２の凸片２２,３２,７２を設けている。上記対向する２辺の側の第２の凸片２２,３２が互いに対向している。包装箱１００は、右側面部５において第２の凸片２２,３２,７２に隣接する穴がないように構成されている。
【００１７】
図４は、第１実施形態の包装箱１００を構成するブランクシート１０１の平面図を示している。なお、図４は、包装箱１００を構成する前面部２と後面部３と左側面部４と右側面部５と底面部６と上面部７およびカバー８の外面側から見た図である。ブランクシート１０１に使用する紙厚は、０．３５ｍｍ〜０．４ｍｍとし、紙目は図４の左右方向としている。
【００１８】
図４に示すブランクシート１０１では、左側から順に、前面部２と底面部６と後面部３と上面部７およびカバー８が、折り目線Ｆ２,Ｆ３,Ｆ７,Ｆ８を介して連なるように設けられている。
【００１９】
ここで、「折り目線」とは、折れやすくするための処理が施された線状部分を意味する。折れやすくするための処理の具体例としては、例えば、型押しによって溝状の「罫線」を形成する処理、ブランクシートの厚みの約半分の深さまで切れ刃を入れることによって線状の「半切れ」を形成するハーフカット処理、折り目となる線上に間隔を空けて並ぶように複数の「切り込み」を形成する処理、または、半切れ若しくは切り込みと溝状の罫線とが交互に並ぶ「リード罫」を形成する処理等がある。
【００２０】
また、底面部６の下側に、左側面部４が折り目線Ｆ４を介して連なるように設けられている。さらに、左側面部４の左側に、フラップ４１が折り目線Ｆ４１を介して連なるように設けられている。左側面部４の右側に、フラップ４２が折り目線Ｆ４２を介して連なるように設けられている。左側面部４の下側に、フラップ４３が折り目線Ｆ４３を介して連なるように設けられている。
【００２１】
また、底面部６の上側に、右側面部５が折り目線Ｆ５を介して連なるように設けられている。さらに、右側面部５の左側に、フラップ５１が折り目線Ｆ５１を介して連なるように設けられている。右側面部５の右側に、フラップ５２が折り目線Ｆ５２を介して連なるように設けられている。右側面部５の上側に、フラップ５３が折り目線Ｆ５３を介して連なるように設けられている。
【００２２】
また、前面部２には、円弧状の切り込みからなる差し込み口２ａが設けられている。前面部２の上辺と下辺に第１の凸片２１,第２の凸片２２(斜線部分)を設けている。また、後面部３の上辺と下辺に第１の凸片３１,第２の凸片３２(斜線部分)を設けている。また、上面部７の上辺と下辺に第１の凸片７１,第２の凸片７２(斜線部分)を設けている。
【００２３】
また、カバー８には、鉤状の切目が断続する切目線Ｌ１,Ｌ２を上下方向に設けることによって、第１カバー部８１と帯状のジッパー８２と第２カバー部８３を形成している。なお、切目線Ｌ１の中間部分に、ジッパー８２側に突出する差し込み片８１ａが形成されている。
【００２４】
上記ブランクシート１０１を用いて包装箱１００を組み立てる場合、左側面部４を折り目線Ｆ４に沿って略直角に折り曲げると共に、右側面部５を折り目線Ｆ５に沿って略直角に折り曲げる。
【００２５】
次に、フラップ４１を折り目線Ｆ４１に沿って略直角に折り曲げ、フラップ４２を折り目線Ｆ４２に沿って略直角に折り曲げ、フラップ４３を折り目線Ｆ４３に沿って略直角に折り曲げる。
【００２６】
また、フラップ５１を折り目線Ｆ５１に沿って略直角に折り曲げ、フラップ５２を折り目線Ｆ５２に沿って略直角に折り曲げ、フラップ５３を折り目線Ｆ５３に沿って略直角に折り曲げる。
【００２７】
次に、前面部２を折り目線Ｆ２に沿って略直角に折り曲げて、前面部２の内側の面にフラップ４１,５１を貼り付ける。また、後面部３を折り目線Ｆ３に沿って略直角に折り曲げて、後面部３の内側の面にフラップ４２,５２を貼り付ける。
【００２８】
次に、食品・医薬品・化粧品等を包装箱１００内に収容した状態で、上面部７を折り目線Ｆ７に沿って略直角に折り曲げると共に、カバー８を折り目線Ｆ８に沿って略直角に折り曲げて包装箱１００の上側開口を閉じる。ここで、前面部２の外側の面に第２カバー部８３を貼り付ける。
【００２９】
なお、ブランクシート１０１を用いた包装箱１００の組み立て手順は、これに限らず、自動包装機などに応じて適宜決定すればよい。
【００３０】
包装箱１００を開封するときは、ジッパー８２を引き外すことにより、第１カバー部８１と第２カバー部８３が切り離され、第１カバー部８１と共に上面部７が上方に開く。そして、再び包装箱１００を閉じるときは、上面部７と共に第１カバー部８１を閉じて、第１カバー部８１の差し込み片８１ａを、前面部２の差し込み口２ａに挿入する。
【００３１】
上記構成の包装箱１００によれば、複数の包装箱１００をカートンに収納して運搬するとき、隣り合う一方の包装箱１００の左側面部４の第１の凸片２１,３１,７１が、他方の包装箱１００の面部に当接して、表示部１を有する左側面部４と隣の包装箱１００の面部との間隔を保つことで、包装箱１００の表示部１を有する左側面部４が隣の包装箱１００の面部と擦れ合わないようにできる。これにより、包装箱１００の表示部１の表示内容が不鮮明になったり、表示部１のインクや塗料が剥がれて隣接する他の包装箱１００の面部を汚したりするのを防ぐことができる。
【００３２】
また、上記表示部１を有する左側面部４において第１の凸片２１,３１,７１に隣接する穴がないように構成され、右側面部５において第２の凸片２２,３２,７２に隣接する穴がないように構成されていることによって、そのような穴から包装箱１００内に異物が混入しにくくなるので、特に薬品などの包装箱として好適である。
【００３３】
レーザー光により捺印するために白地塗料と黒地塗料とが塗り重ねられた表示部１は、隣の包装箱１００の面部と接触することで、包装箱１００の表示部１のレーザー印刷されたバーコードなどが不鮮明になりやすく、さらに、表示部１の黒地塗料が剥がれて隣の包装箱１００の面部が汚れやすい。このような表示部１の表示内容の一部または全部がレーザー光により捺印された包装箱１００に対して、この発明は、レーザー印刷されたバーコードなどを鮮明に保つと共に、隣の包装箱１００の面部に汚れが生じないようにできるという格別の効果を有する。
【００３４】
また、食品・医薬品・化粧品等が封入された状態で、個々の包装箱１００の左側面部４の表示部１に異なる可変情報(例えば製造年月日、使用期限、製造ロット、製造番号など)を印刷するので、予めブランクシートに印刷されたものに比べて可変情報を印刷するためのインクや塗料は摩擦により剥がれやすい。このような包装箱１００に対して、この発明は、表示内容を鮮明に保つと共に、隣の包装箱１００の面部に汚れが生じないようにできるという格別の効果を有する。
【００３５】
また、上記表示部１を有する左側面部４に平行な対面を有する右側面部５の外周縁の各辺のうち、左右の対向する２辺および上辺において第２の凸片２２,３２,７２を設けることによって、複数の包装箱１００を同じ方向に揃えた集積状態で、表示部１を有する左側面部４に、隣の包装箱１００の右側面部５の第２の凸片２２,３２,７２が接する。このため、左側面部４の第１の凸片２１,３１,７１と相まって、左側面部４の表示部１と隣の包装箱１００の右側面部５とが確実に擦れ合わないようにできる。
【００３６】
また、上記表示部１を含む所定の領域が窪んだ凹部４ａを左側面部４が有することによって、複数の包装箱１００を同じ方向に揃えた集積状態で、左側面部４の表示部１と隣の包装箱１００の面部との間隔をより確実に保つことができる。
【００３７】
なお、上記第１実施形態では、表示部１に対向する領域の一部または全部に、凸片を設けてもよい。例えば、表示部が左右方向に投影された領域内において、その領域の一部または全部に凸片を設ける。これによって、複数の包装箱１００を同じ方向に揃えた集積状態で、包装箱１００の表示部１を有する左側面部４と隣の包装箱１００の面部との接触を確実に防ぐことができる。さらに、表示部が上下方向に投影された領域内において、その領域の一部または全部に凸片を設けてもよい。
【００３８】
〔第２実施形態〕
図５は、この発明の第２実施形態の包装箱２００の斜視図であり、図６は、第２実施形態の包装箱２００を構成するブランクシート２０１の平面図である。ブランクシート２０１に使用する紙厚は、０．３５ｍｍ〜０．４ｍｍとし、紙目は図６の左右方向としている。
【００３９】
この第２実施形態の包装箱２００は、ハーフカットＨＣ２１,ＨＣ３１,ＨＣ７１,ＨＣ２２,ＨＣ３２,ＨＣ７２を除いて第１実施形態の包装箱１００と同一の構成をしており、同一構成部には同一参照番号を付している。
【００４０】
上記包装箱２００では、第１の凸片２１,３１,７１に、外側から厚さ方向内側に切り込んだハーフカットＨＣ２１,ＨＣ３１,ＨＣ７１を設けている。また、第２の凸片２２,３２,７２に、外側から厚さ方向内側に切り込んだハーフカットＨＣ２２,ＨＣ３２,ＨＣ７２を設けている。
【００４１】
図７は、図５のVII−VII線から見た要部の断面図であり、左側面部４の面に沿った平面Ｐから第１の凸片７１の先端までの突出量Ｘを２ｍｍとし、平面ＰからハーフカットＨＣ７１までの距離Ｙを０．５ｍｍとしている(第１の凸片２１,３１および第２の凸片２２,３２,７２も同様)。
【００４２】
ここで、複数の包装箱２００を同じ方向に揃えた集積状態で、隣り合う包装箱２００同士の面部と第１の凸片２１,３１,７１との間に運搬時の衝撃などにより大きな荷重が働いても、図８に示すように、第１の凸片７１がハーフカットＨＣ７１のところで内側(図８において下方)に折れ曲がって荷重を吸収することができる。ここで、第１の凸片２１,３１,７１の全部が折れ曲がってもよいし、第１の凸片２１,３１,７１の一部が折れ曲がってもよい。
【００４３】
このとき、ハーフカットＨＣ７１の位置を平面Ｐよりも距離Ｙだけ内側にずらして設けることにより、第１の凸片７１は、完全に折れ曲がることなく途中まで折れた状態で、隣の包装箱２００の面部に当接して、左側面部４の表示部１と隣の包装箱２００の面部との間隔を保つことができる。
【００４４】
なお、第１の凸片２１,３１のハーフカットＨＣ２１,ＨＣ３１および第２の凸片２２,３２,７２のハーフカットＨＣ２２,ＨＣ３２,ＨＣ７２についても、折れ曲がりの作用効果は同様である。
【００４５】
上記第２実施形態の包装箱２００は、第１実施形態の包装箱１００と同様の効果を有する。
【００４６】
上記第１の凸片２１,３１,７１および第２の凸片２２,３２,７２の突出量Ｘは、包装箱２００の面部の外方への最大膨らみ量に応じて設定するようにしてもよい。この場合、紙目の方向や紙厚などを考慮してもよい。
【００４７】
〔第３実施形態〕
図９は、この発明の第３実施形態の包装箱３００の斜視図であり、図１０は、第３実施形態の包装箱３００を構成するブランクシート３０１の平面図である。ブランクシート３０１に使用する紙厚は、０．３５ｍｍ〜０．４ｍｍとし、紙目は図１０の左右方向としている。
【００４８】
この第３実施形態の包装箱３００は、第１の凸片２１Ａ,２１Ｂ,３１Ａ,３１Ｂ,７１Ａ,７１Ｂおよび第２の凸片２２Ａ,２２Ｂ,３２Ａ,３２Ｂ,７２Ａ,７２Ｂを除いて第１実施形態の包装箱１００と同一の構成をしており、同一構成部には同一参照番号を付している。
【００４９】
上記第３実施形態の包装箱３００では、表示部１を有する左側面部４の外周縁の各辺において、２分割された第１の凸片２１Ａ,２１Ｂ,３１Ａ,３１Ｂ,７１Ａ,７１Ｂが設けられている。これによって、隣り合う包装箱３００同士の面部と第１の凸片２１Ａ,２１Ｂ,３１Ａ,３１Ｂ,７１Ａ,７１Ｂとの接触面積が小さくなり、隣の包装箱３００の面部に対する第１の凸片２１Ａ,２１Ｂ,３１Ａ,３１Ｂ,７１Ａ,７１Ｂが押して変形させるなどの影響を低減できる。
【００５０】
上記第３実施形態の包装箱３００は、第１実施形態の包装箱１００と同様の効果を有する。
【００５１】
上記第３実施形態では、２分割された第１の凸片２１Ａ,２１Ｂ,３１Ａ,３１Ｂ,７１Ａ,７１Ｂおよび第２の凸片２２Ａ,２２Ｂ,３２Ａ,３２Ｂ,７２Ａ,７２Ｂを設けたが、３分割以上に凸片を分割してもよく、分割された凸片同士の間隔をあけてもよい。また、凸片は、波形状やのこぎり歯状に分割してもよい。
【００５２】
〔第４実施形態〕
図１１は、この発明の第４実施形態の包装箱４００の斜視図であり、図１２は、第４実施形態の包装箱４００を構成するブランクシート４０１の平面図である。ブランクシート４０１に使用する紙厚は、０．３５ｍｍ〜０．４ｍｍとし、紙目は図１０の左右方向としている。
【００５３】
この第４実施形態の包装箱４００は、ハーフカットＨＣ２１Ａ,ＨＣ２１Ｂ,ＨＣ３１Ａ,ＨＣ３１Ｂ,ＨＣ７１Ａ,ＨＣ７１Ｂ,ＨＣ２２Ａ,ＨＣ２２Ｂ,ＨＣ３２Ａ,ＨＣ３２Ｂ,ＨＣ７２Ａ,ＨＣ７２Ｂを除いて第３実施形態の包装箱３００と同一の構成をしており、同一構成部には同一参照番号を付している。
【００５４】
上記包装箱４００では、第１の凸片２１Ａ,２１Ｂ,３１Ａ,３１Ｂ,７１Ａ,７１Ｂに、外側から厚さ方向内側に切り込んだハーフカットＨＣ２１Ａ,ＨＣ２１Ｂ,ＨＣ３１Ａ,ＨＣ３１Ｂ,ＨＣ７１Ａ,ＨＣ７１Ｂを設けている。
【００５５】
また、第２の凸片２２Ａ,２２Ｂ,３２Ａ,３２Ｂ,７２Ａ,７２Ｂに、外側から厚さ方向内側に切り込んだハーフカットＨＣ２２Ａ,ＨＣ２２Ｂ,ＨＣ３２Ａ,ＨＣ３２Ｂ,ＨＣ７２Ａ,ＨＣ７２Ｂを設けている。
【００５６】
ここで、第２実施形態の図７と同様に、左側面部４の面に沿った平面Ｐから第１の凸片７１Ａ,７１Ｂの先端までの突出量Ｘを２ｍｍとし、平面ＰからハーフカットＨＣ７１Ａ,ＨＣ７１Ｂまでの距離Ｙを０．５ｍｍとしている(第１の凸片２１Ａ,２１Ｂ,３１Ａ,３１Ｂおよび第２の凸片２２Ａ,２２Ｂ,３２Ａ,３２Ｂ,７２Ａ,７２Ｂも同様)。
【００５７】
複数の包装箱４００を同じ方向に揃えた集積状態で、隣り合う包装箱２００同士の面部と第１の凸片２１Ａ,２１Ｂ,３１Ａ,３１Ｂ,７１Ａ,７１Ｂとの間に運搬時の衝撃などにより大きな荷重が働いても、第１の凸片２１Ａ,２１Ｂ,３１Ａ,３１Ｂ,７１Ａ,７１Ｂが夫々のハーフカットＨＣ２１Ａ,ＨＣ２１Ｂ,ＨＣ３１Ａ,ＨＣ３１Ｂ,ＨＣ７１Ａ,ＨＣ７１Ｂのところで内側に折れ曲がって荷重を吸収することができる。ここで、第１の凸片２１Ａ,２１Ｂ,３１Ａ,３１Ｂ,７１Ａ,７１Ｂの全部が折れ曲がってもよいし、第１の凸片２１Ａ,２１Ｂ,３１Ａ,３１Ｂ,７１Ａ,７１Ｂの一部が折れ曲がってもよい。
【００５８】
このとき、ハーフカットＨＣ２１Ａ,ＨＣ２１Ｂ,ＨＣ３１Ａ,ＨＣ３１Ｂ,ＨＣ７１Ａ,ＨＣ７１Ｂの位置を平面Ｐよりも距離Ｙだけ内側にずらして設けることにより、第１の凸片２１Ａ,２１Ｂ,３１Ａ,３１Ｂ,７１Ａ,７１Ｂは、完全に折れ曲がることなく途中まで折れた状態で、隣の包装箱４００の面部に当接して、左側面部４の表示部１と隣の包装箱４００の面部との間隔を保つことができる。
【００５９】
なお、第２の凸片２２Ａ,２２Ｂ,３２Ａ,３２Ｂ,７２Ａ,７２ＢのハーフカットＨＣ２２Ａ,ＨＣ２２Ｂ,ＨＣ３２Ａ,ＨＣ３２Ｂ,ＨＣ７２Ａ,ＨＣ７２Ｂについても、折れ曲がりの作用効果は同様である。
【００６０】
上記第４実施形態の包装箱４００は、第３実施形態の包装箱３００と同様の効果を有する。
【００６１】
上記第４実施形態では、２分割された第１の凸片２１Ａ,２１Ｂ(３１Ａ,３１Ｂ,７１Ａ,７１Ｂ)の両方にハーフカットＨＣ２１Ａ,ＨＣ２１Ｂ(ＨＣ３１Ａ,ＨＣ３１Ｂ,ＨＣ７１Ａ,ＨＣ７１Ｂ)を設けたが、２分割された凸片の片側だけにハーフカットを設けてもよい。また、凸片が３以上に分割された場合は、少なくとも１つにハーフカットを設けてもよい。
【００６２】
上記第１〜第４実施形態では、ブランクシート１０１,２０１,３０１,４０１を自動包装機で製函しながら包装するラップラウンド包装形態の包装箱１００,２００,３００,４００について説明したが、これに限らず、予め組み立てられた状態で食品・医薬品・化粧品等を包装する包装箱にこの発明を適用してもよい。
【００６３】
また、上記第１〜第４実施形態では、直方体形状の包装箱１００,２００,３００,４００について説明したが、包装箱の形状はこれに限らず、表示部を有する面部の外周縁の各辺のうちの少なくとも対向する２辺を有する形状の包装箱この発明を適用してもよい。
【００６４】
また、上記第１〜第４実施形態では、表示部１を有する左側面部４の外周縁の各辺のうち、左右の対向する２辺および上辺において第１の凸片２１,３１,７１を設けたが、表示部を有する面部の外周縁の各辺のうちの対向する２辺のみに凸片を設けた包装箱としてもよい。また、右側面部５の左右の対向する２辺および上辺において第２の凸片２２,３２,７２を設けたが、対向する２辺のみに凸片を設けてもよい。
【００６５】
また、上記第１〜第４実施形態では、表示部１にレーザー捺印により可変情報などが記載された包装箱について説明したが、レーザー捺印に限らず、インクジェット式印刷などの他の方法で可変情報などが記載された包装箱にこの発明を適用してもよい。
【００６６】
また、上記第１〜第４実施形態では、紙厚０．３５ｍｍ〜０．４ｍｍのブランクシート１０１,２０１,３０１,４０１を使用したが、包装箱の紙厚はこれに限らず、包装箱の大きさや形態に応じて適宜設定すればよい。
【００６７】
この発明の具体的な実施の形態について説明したが、この発明は上記第１〜第４実施形態に限定されるものではなく、この発明の範囲内で種々変更して実施することができる。例えば、上記第１〜第４実施形態で記載した内容を適宜組み合わせたものを、この発明の一実施形態としてもよい。
【産業上の利用可能性】
【００６８】
以上のように、この発明によれば、複数纏めた集積状態で運搬するときに、表示部を有する面部と隣り合う他の包装箱とが擦れ合わないようにできる包装箱を提供することが可能となるため、レーザー捺印により可変情報などが記載される包装箱に好適に利用することができる。
【符号の説明】
【００６９】
１…表示部
２…前面部
２ａ…差し込み口
３…後面部
４…左側面部
４ａ…凹部
５…右側面部
６…底面部
７…上面部
８…カバー
２１,３１,７１,２１Ａ,２１Ｂ,３１Ａ,３１Ｂ,７１Ａ,７１Ｂ…第１の凸片
２２,３２,７２,２２Ａ,２２Ｂ,３２Ａ,３２Ｂ,７２Ａ,７２Ｂ…第２の凸片
４１,４２,４３,５１,５２,５３…フラップ
８１…第１カバー部
８１ａ…差し込み片
８２…ジッパー
８３…第２カバー部
１００,２００,３００,４００…包装箱
１０１,２０１,３０１,４０１…ブランクシート
Ｆ２,Ｆ３,Ｆ４,Ｆ５,Ｆ７,Ｆ８,Ｆ４１,Ｆ４２,Ｆ４３,Ｆ５１,Ｆ５２,Ｆ５３…折り目線
ＨＣ２１,ＨＣ３１,ＨＣ７１,ＨＣ２２,ＨＣ３２,ＨＣ７２,ＨＣ２１Ａ,ＨＣ２１Ｂ,ＨＣ３１Ａ,ＨＣ３１Ｂ,ＨＣ７１Ａ,ＨＣ７１Ｂ,ＨＣ２２Ａ,ＨＣ２２Ｂ,ＨＣ３２Ａ,ＨＣ３２Ｂ,ＨＣ７２Ａ,ＨＣ７２Ｂ…ハーフカット
Ｌ１,Ｌ２…切目線
【図１】
2020026282.tif 000003
【図２】
2020026282.tif 000004
【図３】
2020026282.tif 000005
【図４】
2020026282.tif 000006
【図５】
2020026282.tif 000007
【図６】
2020026282.tif 000008
【図７】
2020026282.tif 000009
【図８】
2020026282.tif 000010
【図９】
2020026282.tif 000011
【図１０】
2020026282.tif 000012
【図１１】
2020026282.tif 000013
【図１２】
2020026282.tif 000014
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
１枚のブランクシートから形成され、少なくとも１つの面部に表示部を有する直方体形状の包装箱であって、
上記表示部を有する上記面部の外周縁の各辺のうちの少なくとも対向する２辺において、該辺に隣接する他の面部の縁から突出するように設けられた凸片を備え、
上記対向する２辺の側の上記凸片が互いに対向しており、
上記表示部を有する上記面部において上記凸片に隣接する穴がないように構成されていることを特徴とする包装箱。
【請求項２】
上記凸片は、上記表示部に対向する領域の一部または全部に設けられていることを特徴とする請求項１に記載の包装箱。
【請求項３】
上記表示部の表示内容の一部または全部がレーザー光により捺印されていることを特徴とする請求項１または２に記載の包装箱。
【請求項４】
上記表示部の表示内容は、可変情報を含むことを特徴とする請求項１から３までのいずれか一項に記載の包装箱。
【請求項５】
上記表示部を有する上記面部の外周縁の各辺に設けられた上記凸片は、夫々の辺において複数に分割されていることを特徴とする請求項１から４までのいずれか一項に記載の包装箱。
【請求項６】
上記他の面部の縁から突出する上記凸片の少なくとも１つと該他の面部との間に、外側から厚さ方向内側に切り込んだハーフカットが設けられていることを特徴とする請求項１から５までのいずれか一項に記載の包装箱。
【請求項７】
上記表示部を有する上記面部に平行な対面を有する面部の外周縁の各辺のうちの少なくとも対向する２辺において、該辺に隣接する他の面部の縁から突出する第２の凸片が設けられていることを特徴とする請求項１から６までのいずれか一項に記載の包装箱。
【請求項８】
上記表示部を有する上記面部は、上記表示部を含む所定の領域が窪んだ凹部を有することを特徴とする請求項１から７までのいずれか一項に記載の包装箱。
【請求項９】
少なくとも１つの面部に表示部を有する包装箱であって、
上記表示部を有する上記面部の外周縁の各辺のうちの少なくとも対向する２辺において、該辺に隣接する他の面部の縁から突出するように設けられた凸片を備え、
上記対向する２辺の側の上記凸片が互いに対向しており、
上記表示部を有する上記面部において上記凸片に隣接する穴がないように構成され、
上記他の面部の縁から突出する上記凸片の少なくとも１つと該他の面部との間に、外側から厚さ方向内側に切り込んだハーフカットが設けられていることを特徴とする包装箱。
【手続補正２】
【補正対象書類名】明細書
【補正対象項目名】０００６
【補正方法】変更
【補正の内容】
【０００６】
この発明の一態様に係る包装箱は、
１枚のブランクシートから形成され、少なくとも１つの面部に表示部を有する直方体形状の包装箱であって、
上記表示部を有する上記面部の外周縁の各辺のうちの少なくとも対向する２辺において、該辺に隣接する他の面部の縁から突出するように設けられた凸片を備え、
上記対向する２辺の側の上記凸片が互いに対向しており、
上記表示部を有する上記面部において上記凸片に隣接する穴がないように構成されていることを特徴とする。
また、この発明の一態様に係る包装箱は、
少なくとも１つの面部に表示部を有する包装箱であって、
上記表示部を有する上記面部の外周縁の各辺のうちの少なくとも対向する２辺において、該辺に隣接する他の面部の縁から突出するように設けられた凸片を備え、
上記対向する２辺の側の上記凸片が互いに対向しており、
上記表示部を有する上記面部において上記凸片に隣接する穴がないように構成され、
上記他の面部の縁から突出する上記凸片の少なくとも１つと該他の面部との間に、外側から厚さ方向内側に切り込んだハーフカットが設けられていることを特徴とする。
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
１枚のブランクシートから形成され、少なくとも１つの面部に表示部を有する直方体形状の包装箱であって、
上記表示部を有する上記面部の外周縁の各辺のうちの少なくとも対向する２辺において、該辺に隣接する他の面部の縁から突出するように設けられた凸片を備え、
上記対向する２辺の側の上記凸片が互いに対向しており、
上記表示部を有する上記面部において上記凸片に隣接する穴がないように構成されており、
上記他の面部の縁から突出する上記凸片の少なくとも１つと該他の面部との間に、外側から厚さ方向内側に切り込んだハーフカットが設けられていることを特徴とする包装箱。
【請求項２】
上記凸片は、上記表示部に対向する領域の一部または全部に設けられていることを特徴とする請求項１に記載の包装箱。
【請求項３】
上記表示部の表示内容の一部または全部がレーザー光により捺印されていることを特徴とする請求項１または２に記載の包装箱。
【請求項４】
上記表示部の表示内容は、可変情報を含むことを特徴とする請求項１から３までのいずれか一項に記載の包装箱。
【請求項５】
上記表示部を有する上記面部の外周縁の各辺に設けられた上記凸片は、夫々の辺において複数に分割されていることを特徴とする請求項１から４までのいずれか一項に記載の包装箱。
【請求項６】
上記表示部を有する上記面部に平行な対面を有する面部の外周縁の各辺のうちの少なくとも対向する２辺において、該辺に隣接する他の面部の縁から突出する第２の凸片が設けられていることを特徴とする請求項１から５までのいずれか一項に記載の包装箱。
【請求項７】
上記表示部を有する上記面部は、上記表示部を含む所定の領域が窪んだ凹部を有することを特徴とする請求項１から６までのいずれか一項に記載の包装箱。
【請求項８】
少なくとも１つの面部に表示部を有する包装箱であって、
上記表示部を有する上記面部の外周縁の各辺のうちの少なくとも対向する２辺において、該辺に隣接する他の面部の縁から突出するように設けられた凸片を備え、
上記対向する２辺の側の上記凸片が互いに対向しており、
上記表示部を有する上記面部において上記凸片に隣接する穴がないように構成され、
上記他の面部の縁から突出する上記凸片の少なくとも１つと該他の面部との間に、外側から厚さ方向内側に切り込んだハーフカットが設けられていることを特徴とする包装箱。
【手続補正２】
【補正対象書類名】明細書
【補正対象項目名】０００６
【補正方法】変更
【補正の内容】
【０００６】
この発明の一態様に係る包装箱は、
１枚のブランクシートから形成され、少なくとも１つの面部に表示部を有する直方体形状の包装箱であって、
上記表示部を有する上記面部の外周縁の各辺のうちの少なくとも対向する２辺において、該辺に隣接する他の面部の縁から突出するように設けられた凸片を備え、
上記対向する２辺の側の上記凸片が互いに対向しており、
上記表示部を有する上記面部において上記凸片に隣接する穴がないように構成されており、
上記他の面部の縁から突出する上記凸片の少なくとも１つと該他の面部との間に、外側から厚さ方向内側に切り込んだハーフカットが設けられていることを特徴とする。
また、この発明の一態様に係る包装箱は、
少なくとも１つの面部に表示部を有する包装箱であって、
上記表示部を有する上記面部の外周縁の各辺のうちの少なくとも対向する２辺において、該辺に隣接する他の面部の縁から突出するように設けられた凸片を備え、
上記対向する２辺の側の上記凸片が互いに対向しており、
上記表示部を有する上記面部において上記凸片に隣接する穴がないように構成され、
上記他の面部の縁から突出する上記凸片の少なくとも１つと該他の面部との間に、外側から厚さ方向内側に切り込んだハーフカットが設けられていることを特徴とする。